(57)【特許請求の範囲】
【請求項１】
平面視において適宜幅を有する帯状であって、正面視においては略半円弧状に形成され、コルゲートチューブやワイヤハーネスなどの被結束物の外周の半分に対面し、内周面に該被結束物の外周の半分を保持することができる第一の保持部分が形成される第一分割部と，
平面視において適宜幅を有する帯状であって、正面視においては略半円弧状に形成され、コルゲートチューブやワイヤハーネスなどの被結束物の外周の半分に対面し、内周面に該被結束物の外周の半分を保持することができる第二の保持部分が形成され第一分割部と略対称形状に形成されている第二分割部と，
前記第一分割部及び前記第二分割部のそれぞれの一端同士を平面視において所定の角度をもって結合するとともに、該それぞれの一端よりも薄肉に形成されるヒンジと，
爪状の突起であって前記第一分割部の他端又は前記第二分割部の他端のいずれか一方に形成されるロック部と，
前記第一分割部の他端又は前記第二分割部の他端のいずれか他方に形成され前記ロック部の爪状の突起が係合するようになっており、該前記ロック部の爪状の突起が挿し込まれるとこれを保持する被ロック部と，
前記被ロック部に設けられ、取り付け相手部材が前記ロック部の前記被ロック部に係合する方向と異なった方向に係合するクランプ固定部と，
とからなり，
前記第一分割部を、平面視において前記被ロック部に対し斜めとなるように形成すると共に、該第一分割部の一端を、前記被ロック部に対して平行に形成し，
前記第二分割部の前記ロック部を前記第一分割部の前記被ロック部に係合した後に前記被結束物としてのコルゲートチューブの軸を前記ロック部と前記被ロック部とを係合した分割部による挟持方向に交差するように傾いて形成した
ことを特徴とするクランプ。
【発明の詳細な説明】
【０００１  】
【発明の属する技術分野】
本発明は、コルゲートチューブやワイヤハーネスなどの被結束物の外周を保持するとともに、取り付け相手部材が係合して固定される合成樹脂製のクランプに関する。
【０００２  】
【従来の技術】
この種のものとしては、例えば図７に示されるようなコルゲートチューブを保持するクランプが一般的に知られている。
【０００３  】
図７及び図８において、引用符号１はコルゲートチューブ２を例えば車体の所定位置に固定するクランプを示している。そのクランプ１は、コルゲートチューブ２の外周面に半径方向から嵌め合わせられるように二つ割りに形成されており、コルゲートチューブ２の外周を保持する第一分割部３と第二分割部４とを備えている。
【０００４  】
第一分割部３及び第二分割部４は、それぞれ正面視略半円弧状に形成されており、各一端同士がヒンジ５によって連結、結合されている。また、第一分割部３の他端には、被ロック部６が形成されており、その外側には、上記車体の所定位置に設けられるブラケットが係合するクランプ固定部７が形成されている。さらに、第二分割部４の他端には、被ロック部６に係合するロック部８が形成されている。
【０００５  】
クランプ１は、射出成形によって形成されており、第二分割部４が第一分割部３に対して完全に開いた状態で成形されるように金型設計がなされている。また、上記構造では、被ロック部６、ロック部８、及びクランプ固定部７を有していることから、型抜き方向を規制する必要があり、図９に示される如く、手前側から奥に向けて順に直線的に並ぶクランプ固定部７、被ロック部６、第一分割部３、ヒンジ５、第二分割部４、及びロック部８は、全て同一方向に型抜きされるように金型設計がなされている。すなわち例えば、図９に示される如く、被ロック部６の型抜き方向（矢線Ｐ参照）は、クランプ固定部７の型抜き方向（矢線Ｑ参照）と同一方向になっている。尚、引用符号９は被ロック部６の金型抜き方向面を、また、引用符号１０はクランプ固定部７の金型抜き方向面を示している。上記構造において金型抜き方向面９及び１０は平行となっている。
【０００６  】
【発明が解決しようとする課題】
ところで上記クランプ１の構造にあっては、コルゲートチューブ２（図８参照）の配索方向を変更するに当たって成形金型を成立させることができない場合があった。
【０００７  】
すなわち、図１０に示される如く、クランプ固定部７の金型抜き方向面１０が被ロック部６の金型抜き方向面９に対して平行回転する位置となり、クランプ固定部７の型抜き方向（矢線Ｑ参照）が被ロック部６の型抜き方向（矢線Ｐ参照）と同一平面上で異なるような場合には、スライド金型を用いることで対処することができるようになるが、コルゲートチューブ２（図８参照）の配索方向がクランプ固定部７（図８参照）に対し、ねじれ方向に配索されるような場合には、成形金型を設計上成立させることができなかった。
【０００８  】
もう少し詳しく説明すると、コルゲートチューブ２（図８参照）の配索方向をクランプ固定部７（図８参照）に対し、ねじれ方向に設定させようとする場合には、図１０に示される型抜きの方向に図１１に示される型抜きの方向が加味するような金型構造にする必要があることから、スライド金型を用いても金型設計上成立させることができなかった（被ロック部６が近傍にあることからクランプ固定部７の型抜きができない）。尚、図１１に示される型抜きの方向とは、クランプ固定部７の金型抜き方向面１０と被ロック部６の金型抜き方向面９とが非平行状態になることである。
【０００９  】
本発明は、上述した事情に鑑みてなされるもので、コルゲートチューブやワイヤハーネスなどの被結束物の配索方向をクランプ固定部に対しねじれ方向に設定した成形金型を成立させるクランプを提供することを課題とする。
【００１０】
【課題を解決するための手段】
上記課題を解決するためなされた請求項１記載の本発明のクランプは、平面視において適宜幅を有する帯状であって、正面視においては略半円弧状に形成され、コルゲートチューブやワイヤハーネスなどの被結束物の外周の半分に対面し、内周面に該被結束物の外周の半分を保持することができる第一の保持部分が形成される第一分割部と，
平面視において適宜幅を有する帯状であって、正面視においては略半円弧状に形成され、コルゲートチューブやワイヤハーネスなどの被結束物の外周の半分に対面し、内周面に該被結束物の外周の半分を保持することができる第二の保持部分が形成され第一分割部と略対称形状に形成されている第二分割部と，
前記第一分割部及び前記第二分割部のそれぞれの一端同士を平面視において所定の角度をもって結合するとともに、該それぞれの一端よりも薄肉に形成されるヒンジと，
爪状の突起であって前記第一分割部の他端又は前記第二分割部の他端のいずれか一方に形成されるロック部と，
前記第一分割部の他端又は前記第二分割部の他端のいずれか他方に形成され前記ロック部の爪状の突起が係合するようになっており、該前記ロック部の爪状の突起が挿し込まれるとこれを保持する被ロック部と，
前記被ロック部に設けられ、取り付け相手部材が前記ロック部の前記被ロック部に係合する方向と異なった方向に係合するクランプ固定部と，
とからなり，
前記第一分割部を、平面視において前記被ロック部に対し斜めとなるように形成すると共に、該第一分割部の一端を、前記被ロック部に対して平行に形成し，
前記第二分割部の前記ロック部を前記第一分割部の前記被ロック部に係合した後に前記被結束物としてのコルゲートチューブの軸を前記ロック部と前記被ロック部とを係合した分割部による挟持方向に交差するように傾いて形成した
ことを特徴としている。
【００１４  】
【発明の実施の形態】
以下、図面を参照して本発明の実施の形態を説明する。
図１は本発明のクランプの一実施の形態を示す平面図である。また、図２は正面図、図３は底面図、図４は断面図、図５は右側面図（要部のみ）を示している。
【００１５  】
図１ないし図５いずれかにおいて、引用符号２１で示される合成樹脂製のクランプは、第一分割部２２と第二分割部２３とヒンジ２４とロック部２５と被ロック部２６とクランプ固定部２７とを備えて構成されている。
【００１６  】
第一分割部２２は、平面視において適宜幅を有する帯状であって、正面視においては略半円弧状に形成されている。すなわち、第一分割部２２は、コルゲートチューブ２８（図６参照）やワイヤハーネス（不図示）などの被結束物の外周の半分を保持することができるように形成されている。また、第一分割部２２は、平面視において被ロック部２６に対し斜めとなるように形成されている。
【００１７  】
第一分割部２２の内周面には、上記被結束物の外周の半分に対面する保持部分２９が形成されている。その保持部分２９は、第一分割部２２の側面に対して直交しており、被ロック部２６に対して斜めとなるように形成されている。
【００１８  】
第一分割部２２の外周面には、補強用のリブ３０が複数条形成されている。また、第一分割部２２の一端は、被ロック部２６に対して平行に形成されており、第一分割部２２の一端よりも十分に薄肉となるヒンジ２４が連成されている。
【００１９  】
第二分割部２３は、その一端にヒンジ２４が連成されており、ヒンジ２４を挟んで第一分割部２２と略対称形状に形成されている。すなわち、第二分割部２３は、平面視において適宜幅を有する帯状であって、正面視においては略半円弧状に形成されている。また、第二分割部２３は、コルゲートチューブ２８（図６参照）やワイヤハーネス（不図示）などの被結束物の外周の半分を保持することができるように形成されている。さらに、第二分割部２３は、平面視において被ロック部２６に対し斜め（第一分割部２２とは逆方向の斜め）に形成されている。
【００２０  】
第二分割部２３の内周面には、上記被結束物の外周の半分に対面する保持部分３１が形成されている。その保持部分３１は、第二分割部２３の側面に対して直交しており、被ロック部２６に対して斜め（保持部分２９とは逆方向の斜め）となるように形成されている。
【００２１  】
第二分割部２３の外周面には、補強用のリブ３２が複数条形成されている。また、第二分割部２３の上記一端は、被ロック部２６に対して平行に形成されている。尚、第二分割部２３の上記一端は、第一分割部２２の上記一端と同じ肉厚を有している。
【００２２  】
ロック部２５は、爪状の突起であって第二分割部２３の他端に形成されている。また、ロック部２５には、保持部分３１に跨る一対のリブ３３、３３が形成されている。尚、引用符号３４はロック部２５を成形するための型抜き孔を示している。
【００２３  】
被ロック部２６には、ロック部２５が係合するようになっており、爪状の突起に形成されたロック部２５が挿し込まれるとこれを保持することができるように形成されている。
【００２４  】
クランプ固定部２７は、被ロック部２６に連成されており、例えば図示しない車体の所定位置に設けられるブラケットが係合するようになっている。そのブラケットが係合する方向は、ロック部２５が被ロック部２６に係合する方向と異なっている。
【００２５  】
クランプ固定部２７は、図１０を参照しながら上述の如く説明したのと同様に、クランプ固定部２７の金型抜き方向面（不図示、図１０の金型抜き方向面１０が参考になる）が被ロック部２６の金型抜き方向面（不図示、図１０の金型抜き方向面９が参考になる）に対して平行回転する位置にあり、クランプ固定部２７の型抜き方向（図１０の矢線Ｑが参考になる）が被ロック部２６の型抜き方向（図１０の矢線Ｐが参考になる）と同一平面上で異なるように形成されている。
【００２６  】
上記構成において、被ロック部２６とクランプ固定部２７は、被ロック部２６の上記金型抜き方向面に対してクランプ固定部２７の上記金型抜き方向面が平行且つ回転位置にあるように形成されている。また、第一分割部２２及び第二分割部２３は、ロック部２５と被ロック部２６とが係合した後に被結束物としてのコルゲートチューブ２８の軸がクランプ固定部２７の上記金型抜き方向面に交差するよう傾いて形成されている。
【００２７  】
従って、図６に示される如く、コルゲートチューブ２８の配索方向をクランプ固定部２７に対し、ねじれ方向に設定することができるようになる。言い換えれば、被結束物としてのコルゲートチューブ２８の配索方向がクランプ固定部２７に対し、ねじれ方向に設定されても、クランプ２１の成形金型を成立させることができるようになる。
【００２８  】
尚、第一分割部２２及び第二分割部２３が上述の如く傾いて形成されていても、第一分割部２２と第二分割部２３とがヒンジ２４に対して略対称形状に形成されていることから、コンパクトな成形金型になる。
【００２９  】
その他、本発明は本発明の主旨を変えない範囲で種々変更実施可能なことは勿論である。
【００３０】
【発明の効果】
以上説明したように、請求項１に記載された本発明によれば、コルゲートチューブの配索方向をクランプ固定部に対し、ねじれ方向に設定することができる。
【図面の簡単な説明】
【図１】本発明によるクランプの一実施の形態を示す平面図である。
【図２】図１のクランプの正面図である。
【図３】図１のクランプの底面図である。
【図４】図１のクランプの断面図である。
【図５】図１のクランプの右側面図（要部のみ）である。
【図６】コルゲートチューブを保持した状態のクランプの正面図である。
【図７】コルゲートチューブを保持した状態の従来のクランプの斜視図である。
【図８】図７のクランプ及びコルゲートチューブの取り付け前の斜視図である。
【図９】図７のクランプの型抜きを説明するための模式図である。
【図１０】コルゲートチューブの配索方向を変更するに当たっての型抜きを説明するための模式図である。
【図１１】コルゲートチューブの配索方向を変更するに当たっての型抜きを説明するための他の模式図である。
【符号の説明】
２１  クランプ
２２  第一分割部
２３  第二分割部
２４  ヒンジ
２５  ロック部
２６  被ロック部
２７  クランプ固定部
２８  コルゲートチューブ（被結束物）
２９、３１  保持部分
３０、３２、３３  リブ
【図１】
0003894414.tif 000002
【図２】
0003894414.tif 000003
【図３】
0003894414.tif 000004
【図４】
0003894414.tif 000005
【図５】
0003894414.tif 000006
【図６】
0003894414.tif 000007
【図７】
0003894414.tif 000008
【図８】
0003894414.tif 000009
【図９】
0003894414.tif 000010
【図１０】
0003894414.tif 000011
【図１１】
0003894414.tif 000012